(57)【要約】【課題】加熱調理装置を落下した時でも、入力手段のスタートボタンが、外れるのを防止すること。【解決手段】入力手段１６は、エンコーダ２０と、エンコーダ２０に係止され左右に回転するツマミ２５と、ツマミ２５の内側に設けたスタートボタン２６と、スタートボタン２６の後側に設けられスタートボタン２６の動作と連動するスタートボタン機構部２７と、スタートボタン機構部２７の動作によってオンオフするスタートスイッチ２１とを有し、スタートボタン機構部２７は、エンコーダ２０及びツマミ２５の少なくとも２点で係止されている。【選択図】図２
2011052845.tif 000002
【特許請求の範囲】
【請求項１】
本体内に設けられた加熱室と、前記加熱室内に収納された食品を加熱する加熱手段と、前記加熱手段を制御する制御手段と、前記加熱室の前面開口部に開閉可能に設けられたドアと、前記ドアに設けられメニューの選択や加熱条件等を入力する入力手段と、選択したメニュー，加熱条件，制御状態等を表示する表示手段とを備え、
前記入力手段は、エンコーダ等の回転検出手段と、前記回転検出手段に係止され左右に回転するツマミと、前記ツマミの内側に設けたスタートボタンと、前記スタートボタンの後側に設けられ前記スタートボタンの動作と連動するスタートボタン機構部と、前記スタートボタン機構部の動作によってオンオフするスタートスイッチとを有し、
前記スタートボタン機構部は、前記回転検出手段及び前記ツマミの少なくとも２点で係止されている加熱調理装置。
【請求項２】
スタートボタン機構部の外周に形成された鍔部を有し、前記スタートボタン機構部のツマミとの係止は、前記鍔部と前記ツマミに形成された爪とによって構成されている請求項１に記載の加熱調理装置。
【請求項３】
透光性材料で構成されたスターとボタンと、回転検出手段の内側にＬＥＤ等発光手段とを設け、スタートボタン機構部を角笛状に形成し前方に広がるよう配置して、かつ前記発光手段の光をスタートボタン機構部内に導き、前記スタートボタンの後側から前側に放射する請求項２に記載の加熱調理装置。
【発明の詳細な説明】
【技術分野】
【０００１】
本発明は、例えば高周波加熱機能や電気ヒータ加熱機能を備えた加熱調理装置の操作装置に関するものである。
【背景技術】
【０００２】
従来、この種の加熱調理装置は、操作入力部の数を増やすことなく操作をできるよう、設定手段にエンコーダを用いて一つの設定手段に複数の機能を持たせたものがある（例えば、特許文献１参照）。
【０００３】
図５は、従来の加熱調理装置の正面図、図６は、図５の装置の操作入力部の正面図、図７は、従来の操作入力部の主要部断面図である。同図に示すように、本体１の前面右側に操作パネル２が設けられてある。操作パネル２には、加熱機能の選定や時間設定やメニュー選択をするためのツマミ３があり、ツマミの内側には、調理開始を制御部へ伝えるスタートボタン４が爪で係止されている。ツマミ３は、左右に回転することで時間等を設定し、スタートボタン４は、押すことで調理開始の信号を伝える。
【０００４】
上記構成において、調理スタートまでの操作する部分が一ヵ所に集中するため、多機能、多メニューになっても操作する部分がすぐわかり、使い勝手のよいものとなる。また、ツマミ３とスタートボタン４とを同心円上に設けているため、それぞれの操作が別に設けられているものに比較して少ない面積で配置でき、その分メニュー表示５や、時間表示６の文字も大きくでき見やすいものにできる。
【０００５】
そして、操作パネル２の貫通孔外周には、円周状の突起２ａがツマミ３側に向けて設けてあり、中央部に貫通孔と凹部を有し、貫通孔の外円に円周状の突起３ａを設けたツマミ３を、操作パネル２の円周状の突起２ａの外周に隙間をもって設け、スタートボタン４をツマミ３の前より凹部に隙間をもって設ける構成としている。ツマミ３の突起３ａは、スタートボタン４側に向かって凸状に形成し、凹部は根元より先端が広くなっている。ツマミ３はエンコーダ７、スタートボタン４はスイッチ８とそれぞれ嵌合している。
【先行技術文献】
【特許文献】
【０００６】
【特許文献１】特許第２７３８２２１号公報
【発明の概要】
【発明が解決しようとする課題】
【０００７】
しかしながら、上記従来の構成においては、加熱調理装置の生産現場や使用者の家庭の設置場所に加熱調理装置を運搬する際、加熱調理装置を落下してしまうと、落下の衝撃により、スターとボタン４の爪がツマミ３から外れ、スタートボタン４が、ツマミ３から落下してしまう、という課題を有していた。
【０００８】
そこで、加熱調理装置を落下してもスタートボタン４が外れにくいように、ツマミ３にテープで貼り付けることが考えられる。しかし、テープを使用すると、テープの原材料コストがかかったり生産工数がアップしてしまったりする、という課題を有していた。
【０００９】
本発明は従来の課題を解決するもので、スタートボタン機構部を、回転検出手段及びツマミの少なくとも２点で係止することにより、テープを使用することなく、加熱調理装置を落下してもスタートボタンがツマミから落下してしまう恐れのない加熱調理装置を提供
することを目的とする。
【課題を解決するための手段】
【００１０】
前記従来の課題を解決するために、本発明の加熱調理装置は、本体内に設けられた加熱室と、前記加熱室内に収納された食品を加熱する加熱手段と、前記加熱手段を制御する制御手段と、前記加熱室の前面開口部に開閉可能に設けられたドアと、前記ドアに設けられメニューの選択や加熱条件等を入力する入力手段と、選択したメニュー，加熱条件，制御状態等を表示する表示手段とを備え、前記入力手段は、エンコーダ等の回転検出手段と、前記回転検出手段に係止され左右に回転するツマミと、前記ツマミの内側に設けたスタートボタンと、前記スタートボタンの後側に設けられ前記スタートボタンの動作と連動するスタートボタン機構部と、前記スタートボタン機構部の動作によってオンオフするスタートスイッチとを有し、前記スタートボタン機構部は、前記回転検出手段及び前記ツマミの少なくとも２点で係止されている。
【発明の効果】
【００１１】
本発明の加熱調理装置は、スタートボタン機構部が回転検出手段及び前記ツマミの少なくとも２点で係止されているので、装置落下時におけるスタートボタンの外れを防止することができる。
【図面の簡単な説明】
【００１２】
【図１】本発明の実施の形態１に係る加熱調理装置の正面図
【図２】図１の装置の操作入力部の上下方向断面図
【図３】図２の装置の操作入力部の水平方向断面図
【図４】本発明の実施の形態１に係る加熱調理装置の制御ブロック図
【図５】従来の加熱調理装置の正面図
【図６】図５の装置の操作入力部の正面図
【図７】従来の操作入力部の主要部断面図
【発明を実施するための形態】
【００１３】
第１の発明は、本体内に設けられた加熱室と、前記加熱室内に収納された食品を加熱する加熱手段と、前記加熱手段を制御する制御手段と、前記加熱室の前面開口部に開閉可能に設けられたドアと、前記ドアに設けられメニューの選択や加熱条件等を入力する入力手段と、選択したメニュー，加熱条件，制御状態等を表示する表示手段とを備え、前記入力手段は、エンコーダ等の回転検出手段と、前記回転検出手段に係止され左右に回転するツマミと、前記ツマミの内側に設けたスタートボタンと、前記スタートボタンの後側に設けられ前記スタートボタンの動作と連動するスタートボタン機構部と、前記スタートボタン機構部の動作によってオンオフするスタートスイッチとを有し、前記スタートボタン機構部は、前記回転検出手段及び前記ツマミの少なくとも２点で係止されるものである。
【００１４】
これにより、装置落下時において、回転検出手段またはツマミとスタートボタン機構部との係止のうちどちらか一方の係止が外れても、残りの他方の係止により、スタートボタンの外れを防止することができる。
【００１５】
第２の発明は、特に、第１の発明において、スタートボタン機構部の外周に形成された鍔部を有し、前記スタートボタン機構部のツマミとの係止は、前記鍔部と前記ツマミに形成された爪とによって構成されているので、回転検出手段とスタートボタン機構部との係止が外れても、ツマミとスタートボタン機構部との係止により、スタートボタンの外れを防止することができる。
【００１６】
第３の発明は、特に、第２の発明において、透光性材料で構成されたスターとボタンと
、回転検出手段の内側にＬＥＤ等発光手段とを設け、スタートボタン機構部を角笛状に形成し前方に広がるよう配置して、かつ前記発光手段の光をスタートボタン機構部内に導き、前記スタートボタンの後側から前側に放射するものである。これにより、「スタート」等スタートボタンの表示を使用者に明瞭に示すことができ、装置の操作性を向上することができる。
【００１７】
以下本発明の実施の形態について、図面を参照しながら説明する。なお、この実施の形態によって本発明が限定されるものではない。
【００１８】
（実施の形態１）
図１は、本発明の実施の形態１に係る加熱調理装置の正面図、図２は、図１の装置の操作入力部の上下方向断面図、図３は、図２の装置の操作入力部の水平方向断面図、図４は、実施の形態１に係る加熱調理装置としての電子レンジの制御ブロック図である。
【００１９】
同図において、加熱調理装置としての電子レンジ１０は、被加熱物（食品）１２を収納する加熱室１３と、給電またはヒータにより加熱室１３の被加熱物１２を加熱する加熱手段１４を有する。電子レンジ１０の前面には、ドア１１が縦方向に開閉可能に設けられ、加熱室１３の前面開口部を塞いでいる。このドア１１の前面には、透明なガラス製、プラスチック製のスクリーン３２が設けられている。
【００２０】
このドア１１の前面下部には、スクリーン３２に貫通孔が形成され、操作入力部１５が設けられている。操作入力部１５には、手動加熱調理の選択、自動加熱調理の選択、手動加熱調理の時間設定、自動加熱調理の仕上がり調節を設定する一つの入力手段１６と、加熱情報等を表示する表示手段１７とが設けられている。
【００２１】
そして、電子レンジ１０は、記憶手段１８により表示手段１７に操作手順を表示し、入力手段１６からの入力に基づき、制御手段１９により加熱手段１４を制御し、かつ、その加熱情報を表示手段１７に表示する構成としている。
【００２２】
また、入力手段１６は、エンコーダ２０（回転検出手段）、スタートスイッチ２１及びＬＥＤ（発光ダイオード）２２がプリント基板２３上に搭載され、エンコーダ２０の回転部２４は、ツマミ２５と連動するように構成されている。入力手段１６であるスタートボタン２６は、ツマミ２５の内側に嵌合されており、前面から見ると円形で、平面断面及び側面断面が略コ字形状である。スタートボタン機構部２７は、角笛状（ホーン状）に形成され前方に広がるよう配置されて、前端がスタートボタン２６の後面側（コ字形状の内部側）に嵌合し係止されている。
【００２３】
ＬＥＤ２２は、スタートボタン機構部２７の後側（奥側）の開孔から、スタートボタン機構部２７の内部を臨む位置に配置され、点灯時、スタートボタン機構部２７の内部に向かって、発光している。
【００２４】
スタートボタン２６は、スタートボタン２６に前端を係止されたスタートボタン機構部２７と連動するように構成され、使用者がスタートボタン２６を押圧することにより、スタートボタン２６及びこれに連結されたスタートボタン機構部２７が、装置の後方（奥側）に移動する。そして、スタートボタン２６の押圧を解除することにより、スタートボタン２６及びスタートボタン機構部２７が、装置の前方（手前側）へ復帰する。
【００２５】
また、スタートボタン機構部２７の後端には、外方に突出した爪２８が形成され、エンコーダ２０の固定部２９に内側から係止されている。さらに、スタートボタン機構部２７の前端と後端との中間部の外周には、全周にわたって外方に突出した鍔部２９が形成され
ている。
【００２６】
概略筒形状のツマミ２５は、ドア前面のスクリーン３２に形成した貫通孔に嵌入したツマミ枠３３内に回転可能に設けられている。ツマミ２５の前部内側には、スタートボタン２６の後端部が挿入される溝が、内壁に沿って円状に形成されている。スタートボタン２６が嵌合されたツマミ２５の筒状部分の内壁の所定の位置には、爪３０が形成されている。また、ツマミ２５の後側（奥側）端部には、対象的な位置（相互に対向する位置）に回動係止爪３１が２つ設けられ、エンコーダ２０に形成した孔部（図示せず）に外側から係合している。
【００２７】
ツマミ２５の回転動作と連動して、エンコーダ２０が回転するように構成されている。また、スタートボタン２６の押圧動作に連動して、スタートスイッチ２１はオン動作するように構成されている。
【００２８】
エンコーダ２０には、筒状の回転部２４と固定部２９とが設けてある。回転部２４は、左右どちらにも回転できるようになっており、その回転度合いは電気信号として端子から出力され、マイコンを主体として構成された制御手段１９がその電気信号を処理し、装置全体を制御している。
【００２９】
そして、エンコーダ２０は、その回転方向により手動調理メニュー群か自動調理メニュー群かを選択し、その回転度合いにより、その調理メニュー群内の調理メニューを選択する。また、手動調理メニューにおいて必要となる時間や温度の設定、自動調理において必要となる仕上がり状態の設定についても、エンコーダ２０により入力される。
【００３０】
ここで、スタートスイッチ２１及びＬＥＤ２２は、エンコーダ２０の内側に設けられ、スタートスイッチ２１及びＬＥＤ２２は共に、エンコーダ２０内側のプリント基板２３上の円形のスペースに、この円の中心から距離をおいて、すなわちズラして配置されている。そして、スタートスイッチ２１をエンコーダ２０の内側で、かつスタートボタン機構部２７の後側に配置することにより、スタートボタン機構部２７を押せばスタートスイッチ２１が押され接点がオンする構成となっている。
【００３１】
また、スタートボタン機構部２７の外面において、スタートスイッチ２１と対向する位置とは反対側（スタートボタン２６の中心に対して点対称）の位置には、凸部３４が前後方向に形成されている。この凸部３４の先端とエンコーダ２０の固定部２９との間隔は、使用者がスタートボタン２６においてスタートスイッチ２１から遠い側（凸部３４に対応する側）を押した場合、スタートボタン機構部２７がスタートスイッチ２１から遠い側に倒れ、凸部３４が、固定部２９に当接する距離になるように、凸部３４の高さを設定する。
【００３２】
以上のように構成された加熱調理装置について、図１〜図４を用いて、以下にその動作、作用を説明する。
【００３３】
同図において、電子レンジ１０のツマミ２５を回転させることにより、手動加熱調理の選択、手動オーブンの温度選択、自動加熱調理の選択、手動加熱調理の時間設定、自動加熱調理の仕上がり調節などを設定することができる。また、スタートボタン２６を操作することにより、手動加熱調理の確定、手動オーブンの温度の確定、自動加熱調理の確定、手動加熱調理の時間設定と、「あたため」を選択して加熱開始させる機能と、手動加熱調理、自動加熱調理の加熱開始する機能を有している。
【００３４】
表示手段１７は、加熱情報等の表示と、次の操作の操作手順（時間、仕上がり、出力）
の表示をするという形で実現している。
【００３５】
また、電子レンジ１０を生産する現場（工場）や、販売店から使用者の家庭へ加熱調理装置を運搬する際、電子レンジ１０を落下してしまうと、電子レンジ１０に強い衝撃が加えられる。この時、入力手段１６に加えられた衝撃力が、スタートボタン２６及びスタートボタン機構部２７にも加えられる。
【００３６】
しかし、スタートボタン機構部２７は、後端には爪２８が形成され、エンコーダ２０の固定部２９に内側から係止されているとともに、スタートボタン機構部２７の前端と後端との中間部に、全周にわたって外方に突出して形成された鍔部２９とツマミ２５の内側に形成された爪３０とが係合し、すなわちスタートボタン機構部２７が２点で係止されているので、スタートボタン機構部２７の長手方向と垂直な方向の揺動が制限され、スタートボタン機構部２７とスタートボタン２６とが、ツマミ２５から抜けるのを防いでいる。
【００３７】
また、ツマミ２５とスタートボタン２６との隙間から侵入した水は、まずツマミ２５の内側に形成された円状の溝に到達し貯留する。鉛直上方側の溝内に貯留し溢れ出た水は、スタートボタン機構部２７の外面を流れ、鍔部２９まで浸入してもそこから後側（奥側）へは浸入が防止され、スタートボタン機構部２７の外面を鉛直下方に流れ、ツマミ２５の内面を伝って、入力手段１６外へ排出されることとなる。
【００３８】
さらに、ドア前面のスクリーン３２とツマミ２５との隙間から浸入した水は、ツマミ２５とスクリーン３２のツマミ枠３３との間を通って、ツマミ枠３３の表面を重力方向に流れ、ツマミ２５の下部から流出する。また、ツマミ枠３３を伝ってツマミ２５の外面へ流れてきても、同様に、ツマミ２５の表面を重力方向に流れ、ツマミ２５の下部から流出し、プリント基板２３上まではほとんど到達しない。
【００３９】
さらにまた、上述の通り、スタートスイッチ２１は、エンコーダ２０内側のプリント基板２３上の円形のスペースに、円の中心からズレて、例えば装置の前面から見て左側にズレて配置されている場合、一般的には、スタートボタン２６の右端を使用者が押圧すると、スタートボタン機構部２７が、スタートスイッチ２１を支点として、右側に倒れてしまい、スタートスイッチ２１がオン動作しない恐れがある。
【００４０】
そこで、本実施の形態では、スタートボタン機構部２７の外面に凸部３４を設けているので、使用者がスタートボタン２６においてスタートスイッチ２１から遠い側（凸部３４に対応する側）を押した場合であっても、凸部３４が固定部２９に当接し、スタートスイッチ２１から遠い側へ倒れることを防止して、スタートスイッチ２１のオン動作を保証する。
【００４１】
以上のように本実施の形態においては、スタートボタン機構部２７が２点で係止されているので、スタートボタン機構部２７の長手方向と垂直な方向の揺動が制限され、スタートボタン機構部２７とスタートボタン２６とが、ツマミ２５から抜けるのを防ぐことができる。
【００４２】
また、ツマミ２５とスタートボタン２６との隙間や、ドア前面のスクリーンとツマミ２５との隙間から浸入した水は、ツマミ２５の下部から流出させることができるので、入力手段１６からの水浸入に対し、プリント基板２３上の部品に関する信頼性低下を防止できる。
【産業上の利用可能性】
【００４３】
以上のように、本発明の加熱装置によれば、表示手段に加熱手段を使用する最初の操作
手順を表示することで、１つのダイヤルで簡単に全ての操作ができ、かつ、キーが少なくてすむので使い勝手が向上することから、お年寄りに優しい加熱装置とすることができる。
【符号の説明】
【００４４】
１０  電子レンジ（加熱調理装置）
１１  ドア
１３  加熱室
１４  加熱手段
１６  入力手段
１７  表示手段
１９  制御手段
２０  エンコーダ（回転検出手段）
２１  スタートスイッチ
２２  ＬＥＤ（発光手段）
２５  ツマミ
２６  スタートボタン
２７  スタートボタン機構部
２９  鍔部
３０  爪
【図１】
2011052845.tif 000003
【図２】
2011052845.tif 000004
【図３】
2011052845.tif 000005
【図４】
2011052845.tif 000006
【図５】
2011052845.tif 000007
【図６】
2011052845.tif 000008
【図７】
2011052845.tif 000009